(57)【要約】      （修正有）【課題】洋式便器において男性が立ったまま小用を足す場合、ことに高齢者や子どもは便器周辺の床を汚すことがなくなる。【解決手段】従来型便器の両側に膝をつくための便台を設け、膝をついて低い姿勢で用を足し、さらにズボンを汚さないためのズボンガードをつけることによって、ズボンや周囲を汚すことを皆無に近くした。【選択図】図１
0003124529.tif 000002
【実用新案登録請求の範囲】
【請求項１】
洋式便器において、男性が小用を足す時周辺を汚しやすい原因は、ひとえに高い位置からの放尿という習慣にあるので、尿飛散を防ぐため、膝をついて低い安定した体勢を保ちながら小用を足せるよう、従来型便器の両脇に便台を設ける。だがこれだけだと内側にふくらむズボン下部を濡らす公算が大であるので、便座をあげると上がって男性の排尿を助けるためズボン下部をおさえるズボンガードをとりつける。ズボンガードは便座をおろせばその重みで便座の下にかくれてしまうので、一切女性の使用のさまたげにはならない。この女性にきらわれることのない膝置きの便台とズボンガードをセットにしたことを特徴とする男性小用のための補助具。
【考案の詳細な説明】
【技術分野】
【０００１】  本考案は、洋式便器における男性小用のための補助具に関する。
【背景技術】
【０００２】  従来の洋式便器の便座は、女性のためと男性の排便のためのものであって、男性の小用に配慮したものはない。【０００３】  従来の洋式便器においては、男性は立ったまま高い位置から放尿するので、ことに高齢者や子どもは尿を飛散させて便器および周辺を汚すことが多く、掃除する人の手をわずらわしている。これを解決するものとして、便器の両側に膝をつく装置（例えば特許文献１参照、特許文献２参照）などが開示されている。
【特許文献１】特開２００４−２６７６６９
【特許文献２】特開２００５−２５３７４８
【考案の開示】
【考案が解決しようとする課題】
【０００４】  前述の特許文献１、２は、便器の両側に膝をつく台を設けたことが特徴である。だが、通常男性が排尿をするとき、ズボンの前あき（持ち出しと見返し）を開いて抑え、ペニスを支えるのに片手または両手を必要とする。膝をついて身を低くした場合、両側のズボン下部はだぶついて内側にふくらむので、特に厚着をする冬など、そうでなくても尿を飛散させることの多い高齢者や子どもがズボンを汚す危険性は大で、実用には適さない。本考案は以上の問題を解決しようとするものであり、尿の飛散やズボンを汚すことを防ぐことを目的とするものである。
【課題を解決するための手段】
【０００５】  洋式便器において、男性が小用を足す時周辺を汚しやすい原因は、ひとえに高い位置からの放尿という習慣にあるので、尿飛散を防ぐため、膝をついて低い安定した体勢を保ちながら小用を足せるよう、従来型便器の両脇に便台を設ける。だがこれだけだと内側にふくらむズボン下部を濡らす公算が大であるので、便座をあげると上がって男性の排尿を助けるためズポン下部をおさえるズボンガードをとりつける。ズボンガードは便座をおろせばその重みで便座の下にかくれてしまうので、一切女性の使用のさまたげにはならない。この女性にきらわれることのない膝置きの便台とズボンガードをセットにしたことを特徴とする男性小用のための補助具を提供する。
【考案の効果】
【０００６】従来の洋式便器は、男性が立ったままの姿勢で放尿するため、狙いが定まりにくく、殊に立っていること自体が苦痛なあるいは不安定な高齢者や、子どもが周辺を汚すことが多いが、便台に膝をつくことによって体勢も安定し、便座に座った状態に近い低い位置からの放尿が可能になる。また、便台とステンレス針金やプラスティック等を素材とするズボンガードは、子どもでも背の高い大人でも自分に合わせた位置で使用できる作りなので、ズボンや周囲の床を汚すことは皆無に近くなり、掃除する手との嘆きを解消できる。
【考案を実施するための最良の形態】
【０００７】  以下、本考案の実施の形態を図１〜図１０に基づいて説明する。
図１は、本考案の全容を示す斜視図である。１は左右一対のアーチ状の便台で、１２のパイプでつながれ、１２は１３のアジャスターで、便器の幅に応じて調節して止める。１１は便器の奥行きに応じて長さを調節するアジャスター。５は壁面に固定させるためのビス穴、６は床に固定させるビス穴で、現場の状況に応じてどちらかを使用する。２と３がズボンガードである。２はステンレス製の針金かプラスティック製品で、２個のビス穴（４）で１に取り付ける（詳細は図１０参照）。３（斜線の部分）は透明または白色など汚れが目立つ色の薄いプラスティック板で、２と組み合わせて使用するが、汚れた場合ははずして洗える作りにする。１４はクッションで、ここに膝をつき、ズボンの前あき部分の下を２に押しつけて排尿すれば、ズボンは尿の飛散を免れる。
図２は本考案を洋式便器にとりつけた斜視図である。７は便蓋、８は便座、９は便器であり、便座をおろせばズボンガードは便座に抑えられてその下にかくれる（図８・図１０参照）。
図３は便器に本考案をとりつけた側面図である。１が便台、２と３がズボンガード。２は急所を打っては危険なので適度の弾性があるものとし、スプリング（図４の１０参照）があるので、使用する各自の足の長さにあわせて高低自在になる。７が便蓋、８が便座、９が便器である。
図４は、図３の便座（８）をおろした場合の図で、１０のスプリングが伸びて、ズボンガード（２、３）は便座の下にかくれるので、女性に不便をもたらすことはない。１０も強烈なバネでは危険であり、便座をあげればやっと上がってくる程度の強度とし、どの高さでも前方に押しつけることによって使用できるので、幼稚園児でも長身の大人でも楽に排尿の姿勢をとることができる。
図５は、便座（８）をあげた場合の手前から見た正面図である。１は便台。２をズボンの前あき部分の下にあてがって前方へ押しつけながら排尿すれば、３がズボンをガードするので、尿の飛散を防ぐことができる。体勢を低くして便器との距離は便座に腰掛けた場合にぐっと近くなるので、よほどの場合を除いて３を濡らすことはないが、汚しても３は取り外して洗える。
図６は便座（８）をおろした場合の正面図である。２と３は完全に便座の下にかくれる。
図７は便座（図では省略）を上げた場合の上から見た平面図である。１が便台、２がズボンガード（はっきりさせるため、一点鎖線とした）。９は便器の縁の線のみを示した。４はズボンガードと便台を組み合わせるための金具（図９参照）
図８は図７の便座をおろした場合の図。便台（１）を除けば外見は従来の便器と何ら変わらない。通常ここに腰かける場合、足は１の部分より前にあるのだから、邪魔にはならない。
図９は便座（８）をあげた場合の便台（１）とズボンガード（２）の接合部分のみを拡大して内側から見た側面図である。２は２箇所の４のみで１とつながっている。
図１０は図９の便座（８）をおろした場合の側面図である。１０のスプリングが伸びて、２は完全に便座の縁の内側に押さえ込まれる。
【図面の簡単な説明】
【０００８】
【図１】本考案の全容を示す斜視図。
【図２】本考案を洋式便器にとりつけ、便座を上げ、男性が小用に使用する時の斜視図。
【図３】洋式便器に本考案をとりつけ、便座をあげて男性が小用に使用する時の側面図。
【図４】図３の便座をおろした場合の側面図。
【図５】便座（８）をあげた場合の手前から見た正面図。
【図６】図５の便座（８）をおろした場合の正面図。
【図７】便座（省略）をあげた場合の上から見た平面図。
【図８】図７の便座をおろした場合の正面図。
【図９】便台（１）とズボンガード（２）の接合部分を説明するための図。
【図１０】図９の便座をおろした場合の図。
【符号の説明】
【０００９】  １  便台。
２  ズボンガードの縁で、ステンレスかプラスティック製。
３  ズボンガードの薄いプラスティック板で、２に取り付ける。
４  １と２を接合する金具。
５  便台を壁面に固定するためのビス穴。
６  便台を床に固定するためのビス穴。
７  便蓋。
８  便座。
９  便器。
１０  ズボンガードにとりつけるスプリング。
１１  便台を置く時のアジャスター。
１２  一対の便台をつなぐパイプ。
１３  １２の長さを調節するためのアジャスター。
１４  膝を置くためのクッション。
【図１】
0003124529.tif 000003
【図２】
0003124529.tif 000004
【図３】
0003124529.tif 000005
【図４】
0003124529.tif 000006
【図５】
0003124529.tif 000007
【図６】
0003124529.tif 000008
【図７】
0003124529.tif 000009
【図８】
0003124529.tif 000010
【図９】
0003124529.tif 000011
【図１０】
0003124529.tif 000012
【手続補正書】
【提出日】平成18年5月26日(2006.5.26)
【手続補正１】
【補正対象書類名】実用新案登録請求の範囲
【補正対象項目名】全文
【補正方法】変更
【補正の内容】
【実用新案登録請求の範囲】
【請求項１】
洋式便器において、男性が小用を足す場合の尿飛散を防ぐため、膝をついて低い安定した体勢を保ちながら小用を足せるよう、従来型便器の両脇に便台を設けるが、これだけでは内側にふくらむズボン下部を濡らすので、便座をあげるとズボン下部をおさえるズボンガードが上がってくるが、便座をおろせばその重みでズボンガードは便座の下にかくれて一切女性の使用のさまたげにはならぬという構造を有する補助具。